(57)【要約】【課題】簡素な構成で的確にダビングする対象の映像情報を選択する。【解決手段】ＤＶＤレコーダ１のＨＤＤ１９１は、予め複数の映像情報を格納する映像情報記憶部１９１ａを備え、ＭＰＵ１１は、リモコン３を介して受け付けられた操作入力に基づいて複数の検索条件の中から１の検索条件を設定する条件設定部１１１と、映像情報記憶部１９１ａに格納された映像情報の中から、設定された検索条件を満たす映像情報を抽出する検索実行部１１２と、抽出された映像情報を選択可能に表示する映像選択画面をディスプレイ２１に表示する結果表示部１１３と、リモコン３を介して受け付けられた操作入力に基づいて、映像選択画面を介して、抽出された映像情報の中からＤＶＤへ記録する対象とする映像情報を選択する映像選択部１１４と、選択された映像情報をＤＶＤに書き込む記録実行部１１５と、を備えている。【選択図】図２
2008236001.tif 000002
【特許請求の範囲】
【請求項１】
モニタと通信可能に接続され、予め複数の映像情報が格納されたＨＤＤと、映像情報を記録可能なＤＶＤと、を有するＤＶＤレコーダであって、
前記ＨＤＤに、予め複数の映像情報を格納する映像情報記憶手段と、
外部からの操作入力を受け付けて、受け付けられた操作入力に基づいて、検索対象とする映像情報について予め設定された複数の検索条件の中から１の検索条件を設定する条件設定手段と、
前記映像情報記憶手段に格納された映像情報の中から、前記条件設定手段によって設定された検索条件を満たす映像情報を抽出する検索実行手段と、
前記検索実行手段によって抽出された映像情報を選択可能に表示する映像選択画面を前記モニタに表示する結果表示手段と、
外部からの操作入力を受け付けて、受け付けられた操作入力に基づいて、前記映像選択画面を介して、前記検索実行手段によって抽出された映像情報の中から、前記ＤＶＤへ記録する対象とする映像情報を選択する映像選択手段と、
前記映像選択手段によって選択された映像情報を識別する識別情報を格納する選択結果記憶手段と、
前記選択結果記憶手段に格納された識別情報に対応する映像情報を映像情報記憶手段から読み出して、前記ＤＶＤに書き込む記録実行手段と、
を備え、
前記映像選択手段は、映像情報が選択される度に、前記選択結果記憶手段に、選択された映像情報を識別する識別情報を格納し、
前記映像情報記憶手段は、予め複数の映像情報と対応付けて録画日時情報、ジャンル情報及び録画された日の曜日情報である録画曜日情報をそれぞれ格納し、
前記条件設定手段は、前記検索条件として、検索対象とする映像情報の録画日時である検索録画日時、検索対象とする映像情報のジャンルである検索ジャンル、又は、検索対象とする映像情報の録画曜日である検索録画曜日を設定し、
前記検索実行手段は、前記映像情報記憶手段に格納された映像情報の中から、前記条件設定手段によって設定された検索録画日時、検索ジャンル又は検索録画曜日と同一の録画日時情報、ジャンル情報又は録画曜日情報を有する映像情報を抽出することを特徴とするＤＶＤレコーダ。
【請求項２】
モニタと通信可能に接続され、予め複数の映像情報が格納された第１記録媒体と、映像情報を記録可能な第２記録媒体と、を有する映像記録装置であって、
前記第１記録媒体に、予め複数の映像情報を格納する映像情報記憶手段と、
外部からの操作入力を受け付けて、受け付けられた操作入力に基づいて、検索対象とする映像情報について予め設定された複数の検索条件の中から１の検索条件を設定する条件設定手段と、
前記映像情報記憶手段に格納された映像情報の中から、前記条件設定手段によって設定された検索条件を満たす映像情報を抽出する検索実行手段と、
前記検索実行手段によって抽出された映像情報を選択可能に表示する映像選択画面を前記モニタに表示する結果表示手段と、
外部からの操作入力を受け付けて、受け付けられた操作入力に基づいて、前記映像選択画面を介して、前記検索実行手段によって抽出された映像情報の中から、前記第２記録媒体へ記録する対象とする映像情報を選択する映像選択手段と、
前記映像選択手段によって選択された映像情報を、前記第２記録媒体に書き込む記録実行手段と、
を備えることを特徴とする映像記録装置。
【請求項３】
前記映像選択手段によって選択された映像情報を識別する識別情報を格納する選択結果記憶手段を備え、
前記映像選択手段は、映像情報が選択される度に、前記選択結果記憶手段に、選択された映像情報を識別する識別情報を格納し、
前記記録実行手段は、前記選択結果記憶手段に格納された識別情報に対応する映像情報を映像情報記憶手段から読み出して、前記第２記録媒体に書き込むことを特徴とする請求項２に記載の映像記録装置。
【請求項４】
前記映像情報記憶手段は、予め複数の映像情報と対応付けて録画日時情報をそれぞれ格納し、
前記条件設定手段は、前記検索条件として、検索対象とする映像情報の録画日時である検索録画日時を設定し、
前記検索実行手段は、前記映像情報記憶手段に格納された映像情報の中から、前記条件設定手段によって設定された検索録画日時と同一の録画日時情報を有する映像情報を抽出することを特徴とする請求項２又は請求項３に記載の映像記録装置。
【請求項５】
前記映像情報記憶手段は、予め複数の映像情報と対応付けてジャンル情報をそれぞれ格納し、
前記条件設定手段は、前記検索条件として、検索対象とする映像情報のジャンルである検索ジャンルを設定し、
前記検索実行手段は、前記映像情報記憶手段に格納された映像情報の中から、前記条件設定手段によって設定された検索ジャンルと同一のジャンル情報を有する映像情報を抽出することを特徴とする請求項２〜請求項４のいずれかに記載の映像記録装置。
【請求項６】
前記映像情報記憶手段は、予め複数の映像情報と対応付けて録画された日の曜日情報である録画曜日情報をそれぞれ格納し、
前記条件設定手段は、前記検索条件として、検索対象とする映像情報の録画曜日である検索録画曜日を設定し、
前記検索実行手段は、前記映像情報記憶手段に格納された映像情報の中から、前記条件設定手段によって設定された検索録画曜日と同一の録画曜日情報を有する映像情報を抽出することを特徴とする請求項２〜請求項５のいずれかに記載の映像記録装置。
【発明の詳細な説明】
【技術分野】
【０００１】
本発明は、モニタと通信可能に接続され、予め複数の映像情報が格納された第１記録媒体と、映像情報を記録可能な第２記録媒体と、を有する映像記録装置に関する。特に、モニタと通信可能に接続され、予め複数の映像情報が格納されたＨＤＤ（Ｈａｒｄ  Ｄｉｓｋ  Ｄｒｉｖｅ）と、映像情報を記録可能なＤＶＤ（Ｄｉｇｉｔａｌ  Ｖｅｒｓａｔｉｌｅ  Ｄｉｓｋ）と、を有するＤＶＤレコーダに関する。
【背景技術】
【０００２】
テレビジョン放送を受信し、受信したテレビジョン放送の映像情報を記録媒体に記録し、必要に応じて接続されたテレビジョン装置で再生するＤＶＤレコーダ等の映像記録装置が普及している。また、大容量のＨＤＤを備えると共にＤＶＤへの録画が可能な映像記録装置も普及しており、ユーザはテレビ番組の映像情報をＨＤＤに記録しておき、気に入ったテレビ番組をＤＶＤにダビングすることができる。
【０００３】
また、ＨＤＤに一旦記録させた映像情報をＤＶＤにダビングする場合、ユーザは、例えば全１２回の連続ドラマのように、関連する内容の映像情報を１のＤＶＤにダビングしたいという要望がある。しかしながら、連続ドラマにおける各回の映像情報を、多数の番組が録画されているＨＤＤから選択することは煩雑であるという課題がある。
【０００４】
上記課題を解消するべく、種々の方法、装置が提案されている。例えば、番組タイトルの前半部分を検索キーワードとして、ＨＤＤに録画されている番組データの番組タイトルに対して前方一致検索を行い、その結果を示す検索結果画像を作成してモニタに表示させ、検索結果画像に基づいてＨＤＤからＤＶＤへダビングする番組データの選択を受け付ける録画装置が開示されている（特許文献１参照）。
【特許文献１】特開２００６−２６２０１３号公報
【発明の開示】
【発明が解決しようとする課題】
【０００５】
しかしながら、上記録画装置においては、ＨＤＤに番組タイトルが格納されていない場合には、適用することができず、また、番組タイトルに対して前方一致検索を行うため、処理が複雑であるという課題がある。
【０００６】
本発明は、上記課題に鑑みてなされたものであって、簡素な構成で的確にダビングする対象の映像情報を選択することの可能な映像記録装置及びＤＶＤレコーダを提供することを目的としている。
【課題を解決するための手段】
【０００７】
上記目的を達成するために請求項１に記載のＤＶＤレコーダは、モニタと通信可能に接続され、予め複数の映像情報が格納されたＨＤＤと、映像情報を記録可能なＤＶＤと、を有するＤＶＤレコーダであって、前記ＨＤＤに予め複数の映像情報を格納する映像情報記憶手段と、外部からの操作入力を受け付けて、受け付けられた操作入力に基づいて、検索対象とする映像情報について予め設定された複数の検索条件の中から１の検索条件を設定する条件設定手段と、前記映像情報記憶手段に格納された映像情報の中から、前記条件設定手段によって設定された検索条件を満たす映像情報を抽出する検索実行手段と、前記検索実行手段によって抽出された映像情報を選択可能に表示する映像選択画面を前記モニタに表示する結果表示手段と、外部からの操作入力を受け付けて、受け付けられた操作入力に基づいて、前記映像選択画面を介して、前記検索実行手段によって抽出された映像情報の中から、前記ＤＶＤへ記録する対象とする映像情報を選択する映像選択手段と、前記映像選択手段によって映像情報が選択される度に、選択された映像情報を識別する識別情報を格納する選択結果記憶手段と、前記選択結果記憶手段に格納された識別情報に対応する映像情報を映像情報記憶手段から読み出して、前記ＤＶＤに書き込む記録実行手段と、を備え、前記映像選択手段が、映像情報が選択される度に、前記選択結果記憶手段に、選択された映像情報を識別する識別情報を格納し、前記映像情報記憶手段が、予め複数の映像情報と対応付けて録画日時情報、ジャンル情報及び録画された日の曜日情報である録画曜日情報をそれぞれ格納し、前記条件設定手段が、前記検索条件として、検索対象とする映像情報の録画日時である検索録画日時、検索対象とする映像情報のジャンルである検索ジャンル、又は、検索対象とする映像情報の録画曜日である検索録画曜日を設定し、前記検索実行手段が、前記映像情報記憶手段に格納された映像情報の中から、前記条件設定手段によって設定された検索録画日時、検索ジャンル又は検索録画曜日と同一の録画日時情報、ジャンル情報又は録画曜日情報を有する映像情報を抽出することを特徴としている。
【０００８】
請求項２に記載の映像記録装置は、モニタと通信可能に接続され、予め複数の映像情報が格納された第１記録媒体と、映像情報を記録可能な第２記録媒体と、を有する映像記録装置であって、前記第１記録媒体に予め複数の映像情報を格納する映像情報記憶手段と、外部からの操作入力を受け付けて、受け付けられた操作入力に基づいて、検索対象とする映像情報について予め設定された複数の検索条件の中から１の検索条件を設定する条件設定手段と、前記映像情報記憶手段に格納された映像情報の中から、前記条件設定手段によって設定された検索条件を満たす映像情報を抽出する検索実行手段と、前記検索実行手段によって抽出された映像情報を選択可能に表示する映像選択画面を前記モニタに表示する結果表示手段と、外部からの操作入力を受け付けて、受け付けられた操作入力に基づいて、前記映像選択画面を介して、前記検索実行手段によって抽出された映像情報の中から、前記第２記録媒体へ記録する対象とする映像情報を選択する映像選択手段と、前記映像選択手段によって選択された映像情報を、前記第２記録媒体に書き込む記録実行手段と、を備えることを特徴としている。
【０００９】
請求項３に記載の映像記録装置は、請求項２に記載の映像記録装置であって、前記映像選択手段によって選択された映像情報を識別する識別情報を格納する選択結果記憶手段を備え、前記映像選択手段が、映像情報が選択される度に、前記選択結果記憶手段に、選択された映像情報を識別する識別情報を格納し、前記記録実行手段が、前記選択結果記憶手段に格納された識別情報に対応する映像情報を映像情報記憶手段から読み出して、前記第２記録媒体に書き込むことを特徴としている。
【００１０】
請求項４に記載の映像記録装置は、請求項２又は請求項３に記載の映像記録装置であって、前記映像情報記憶手段が、予め複数の映像情報と対応付けて録画日時情報をそれぞれ格納し、前記条件設定手段が、前記検索条件として、検索対象とする映像情報の録画日時である検索録画日時を設定し、前記検索実行手段が、前記映像情報記憶手段に格納された映像情報の中から、前記条件設定手段によって設定された検索録画日時と同一の録画日時情報を有する映像情報を抽出することを特徴としている。
【００１１】
請求項５に記載の映像記録装置は、請求項２〜請求項４のいずれかに記載の映像記録装置であって、前記映像情報記憶手段が、予め複数の映像情報と対応付けてジャンル情報をそれぞれ格納し、前記条件設定手段が、前記検索条件として、検索対象とする映像情報のジャンルである検索ジャンルを設定し、前記検索実行手段が、前記映像情報記憶手段に格納された映像情報の中から、前記条件設定手段によって設定された検索ジャンルと同一のジャンル情報を有する映像情報を抽出することを特徴としている。
【００１２】
請求項６に記載の映像記録装置は、請求項２〜請求項５のいずれかに記載の映像記録装置であって、前記映像情報記憶手段が、予め複数の映像情報と対応付けて録画された日の曜日情報である録画曜日情報をそれぞれ格納し、前記条件設定手段が、前記検索条件として、検索対象とする映像情報の録画曜日である検索録画曜日を設定し、前記検索実行手段が、前記映像情報記憶手段に格納された映像情報の中から、前記条件設定手段によって設定された検索録画曜日と同一の録画曜日情報を有する映像情報を抽出することを特徴としている。
【発明の効果】
【００１３】
請求項１に記載のＤＶＤレコーダによれば、ＨＤＤの映像情報記憶手段に予め複数の映像情報が格納されており、外部からの操作入力が受け付けられて、受け付けられた操作入力に基づいて、検索対象とする映像情報について予め設定された複数の検索条件の中から１の検索条件が設定される。そして、映像情報記憶手段に格納された映像情報の中から、設定された検索条件を満たす映像情報が抽出され、抽出された映像情報が選択可能に表示する映像選択画面がモニタに表示される。更に、外部からの操作入力が受け付けられて、受け付けられた操作入力に基づいて、映像選択画面を介して、抽出された映像情報の中から、ＤＶＤへ記録する対象とする映像情報が選択され、選択された映像情報が、ＤＶＤに書き込まれるため、簡素な構成で的確にダビングする対象の映像情報を選択することができる。
【００１４】
すなわち、検索対象とする映像情報について予め設定された複数の検索条件の中から１の検索条件が設定されるため、ユーザが検索対象の映像情報に応じて、検索条件を設定することができるので、的確にダビングする対象の映像情報を選択することができるのである。また、複数の検索条件を、例えば、録画日時での検索のように、確実に映像情報に対応付けて格納されている情報を用いた簡素な検索条件とすることにより、簡素な構成で的確にダビングする対象の映像情報を選択することができるのである。
【００１５】
また、映像情報が選択される度に、選択された映像情報を識別する識別情報が選択結果記憶手段に格納され、選択結果記憶手段に格納された識別情報に対応する映像情報が映像情報記憶手段から読み出されて、ＤＶＤに書き込まれるため、利便性良好にダビングする対象の映像情報を選択することができる。
【００１６】
すなわち、映像情報が選択される度に、選択された映像情報を識別する識別情報が選択結果記憶手段に格納され、選択結果記憶手段に格納された識別情報に対応する映像情報が映像情報記憶手段から読み出されて、ＤＶＤに書き込まれるため、ＤＶＤに複数の映像情報を書き込むことを所望する場合に、書き込みを所望する複数の映像情報をまとめて選択することができるので、利便性良好にダビングする対象の映像情報を選択することができるのである。
【００１７】
更に、映像情報記憶手段に、予め複数の映像情報と対応付けて録画日時情報がそれぞれ格納されており、検索条件として、検索対象とする映像情報の録画日時である検索録画日時が設定され、映像情報記憶手段に格納された映像情報の中から、設定された検索録画日時と同一の録画日時情報を有する映像情報が抽出されるため、簡素な構成で的確にダビングする対象の映像情報を選択することができる。
【００１８】
すなわち、録画日時は確実に映像情報に対応付けて格納されている情報であり、且つ、録画日時による検索処理は簡素な構成で実行可能であるため、簡素な構成で的確にダビングする対象の映像情報を選択することができるのである。
【００１９】
加えて、映像情報記憶手段に、予め複数の映像情報と対応付けてジャンル情報がそれぞれ格納されており、検索条件として、検索対象とする映像情報のジャンルである検索ジャンルが設定され、映像情報記憶手段に格納された映像情報の中から、設定された検索ジャンルと同一のジャンル情報を有する映像情報が抽出されるため、簡素な構成で的確にダビングする対象の映像情報を選択することができる。
【００２０】
すなわち、例えば、ユーザが番組名等を記憶していない場合であっても、ジャンル情報を用いて検索することができるため、簡素な構成で的確にダビングする対象の映像情報を選択することができるのである。
【００２１】
また、映像情報記憶手段に、予め複数の映像情報と対応付けて録画された日の曜日情報である録画曜日情報がそれぞれ格納されており、検索条件として、検索対象とする映像情報の録画曜日である検索録画曜日が設定され、映像情報記憶手段に格納された映像情報の中から、設定された検索録画曜日と同一の録画曜日情報を有する映像情報が抽出されるため、簡素な構成で的確にダビングする対象の映像情報を選択することができる。
【００２２】
すなわち、例えば、毎週同一曜日に放送される番組の映像情報を選択したい場合に、曜日を用いて検索することができるので、簡素な構成で的確にダビングする対象の映像情報を選択することができるのである。
【００２３】
請求項２に記載の映像記録装置によれば、第１記録媒体の映像情報記憶手段に予め複数の映像情報が格納されており、外部からの操作入力が受け付けられて、受け付けられた操作入力に基づいて、検索対象とする映像情報について予め設定された複数の検索条件の中から１の検索条件が設定される。そして、映像情報記憶手段に格納された映像情報の中から、設定された検索条件を満たす映像情報が抽出され、抽出された映像情報が選択可能に表示する映像選択画面がモニタに表示される。更に、外部からの操作入力が受け付けられて、受け付けられた操作入力に基づいて、映像選択画面を介して、抽出された映像情報の中から、前記第２記録媒体へ記録する対象とする映像情報が選択され、選択された映像情報が、第２記録媒体に書き込まれるため、簡素な構成で的確にダビングする対象の映像情報を選択することができる。
【００２４】
すなわち、検索対象とする映像情報について予め設定された複数の検索条件の中から１の検索条件が設定されるため、ユーザが検索対象の映像情報に応じて、検索条件を設定することができるので、的確にダビングする対象の映像情報を選択することができるのである。また、複数の検索条件を、例えば、録画日時での検索のように、確実に映像情報に対応付けて格納されている情報を用いた簡素な検索条件とすることにより、簡素な構成で的確にダビングする対象の映像情報を選択することができるのである。
【００２５】
請求項３に記載の映像記録装置によれば、映像情報が選択される度に、選択された映像情報を識別する識別情報が選択結果記憶手段に格納され、選択結果記憶手段に格納された識別情報に対応する映像情報が映像情報記憶手段から読み出されて、第２記録媒体に書き込まれるため、利便性良好にダビングする対象の映像情報を選択することができる。
【００２６】
すなわち、映像情報が選択される度に、選択された映像情報を識別する識別情報が選択結果記憶手段に格納され、選択結果記憶手段に格納された識別情報に対応する映像情報が映像情報記憶手段から読み出されて、第２記録媒体に書き込まれるため、第２記録媒体に複数の映像情報を書き込むことを所望する場合に、書き込みを所望する複数の映像情報をまとめて選択することができるので、利便性良好にダビングする対象の映像情報を選択することができるのである。
【００２７】
請求項４に記載の映像記録装置によれば、映像情報記憶手段に、予め複数の映像情報と対応付けて録画日時情報がそれぞれ格納されており、検索条件として、検索対象とする映像情報の録画日時である検索録画日時が設定され、映像情報記憶手段に格納された映像情報の中から、設定された検索録画日時と同一の録画日時情報を有する映像情報が抽出されるため、簡素な構成で的確にダビングする対象の映像情報を選択することができる。
【００２８】
すなわち、録画日時は確実に映像情報に対応付けて格納されている情報であり、且つ、録画日時による検索処理は簡素な構成で実行可能であるため、簡素な構成で的確にダビングする対象の映像情報を選択することができるのである。
【００２９】
請求項５に記載の映像記録装置によれば、映像情報記憶手段に、予め複数の映像情報と対応付けてジャンル情報がそれぞれ格納されており、検索条件として、検索対象とする映像情報のジャンルである検索ジャンルが設定され、映像情報記憶手段に格納された映像情報の中から、設定された検索ジャンルと同一のジャンル情報を有する映像情報が抽出されるため、簡素な構成で的確にダビングする対象の映像情報を選択することができる。
【００３０】
すなわち、例えば、ユーザが番組名等を記憶していない場合であっても、ジャンル情報を用いて検索することができるため、簡素な構成で的確にダビングする対象の映像情報を選択することができるのである。
【００３１】
請求項６に記載の映像記録装置によれば、映像情報記憶手段に、予め複数の映像情報と対応付けて録画された日の曜日情報である録画曜日情報がそれぞれ格納されており、検索条件として、検索対象とする映像情報の録画曜日である検索録画曜日が設定され、映像情報記憶手段に格納された映像情報の中から、設定された検索録画曜日と同一の録画曜日情報を有する映像情報が抽出されるため、簡素な構成で的確にダビングする対象の映像情報を選択することができる。
【００３２】
すなわち、例えば、毎週同一曜日に放送される番組の映像情報を選択したい場合に、曜日を用いて検索することができるので、簡素な構成で的確にダビングする対象の映像情報を選択することができるのである。
【発明を実施するための最良の形態】
【００３３】
以下に本発明の実施形態を、図面を参照しながら説明する。図１は、本発明に係るＤＶＤレコーダの構成の一例を示すブロック図である。ＤＶＤレコーダ１（＝ＨＤＤ搭載ＤＶＤレコーダ：映像記録装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００３４】
ＤＶＤレコーダ１は、リモコン３を介してユーザからの操作入力を受け付けて、受け付けた操作入力に基づいて、テレビジョン放送を受信し、受信した番組情報をＨＤＤ１９１等に格納するものである。また、ＤＶＤレコーダ１は、ＨＤＤ１９１等に格納された番組情報を読み出して、出力装置２に対して映像及び音声を出力するものである。
【００３５】
出力装置２は、ディスプレイ２１及びスピーカ２２を備え、ＤＶＤレコーダ１から入力された音声情報及び映像情報を出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、ＤＶＤレコーダ１から入力された映像情報を外部から視認可能に表示するものである。スピーカ２２は、ＤＶＤレコーダ１から入力された音声情報を出力するものである。
【００３６】
リモコン３（条件設定手段の一部、映像選択手段の一部、記録実行手段の一部に相当する）は、ユーザからの操作入力を受け付けて、受け付けられた操作入力に対応する赤外線信号を生成して、ＤＶＤレコーダ１に対して出力するものである。
【００３７】
また、ＤＶＤレコーダ１は、ＭＰＵ１１、ＲＡＭ１２、ＲＯＭ１３、操作部１４、受信部１５、音声出力部１６、ＭＰＥＧ２デコード部１７、画像出力部１８、ＨＤＤ１９１、及び、ＤＶＤ記録部１９２を備えている。
【００３８】
ＭＰＵ（Ｍｉｃｒｏ  Ｐｒｏｃｅｓｓｉｎｇ  Ｕｎｉｔ）１１は、ＤＶＤレコーダ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１を動作させる制御プログラム等を格納するものである。
【００３９】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００４０】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００４１】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００４２】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００４３】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００４４】
ＨＤＤ（Ｈａｒｄ  Ｄｉｓｋ  Ｄｒｉｖｅ）１９１（第１記録媒体に相当する）は、ＭＰＵ１からの指示に従って映像情報、音声情報等の種々の情報を格納すると共に、格納された映像情報、音声情報等の種々の情報を読み出すものである。ＤＶＤ記録部１９２（記録実行手段の一部に相当する）は、ＤＶＤを載置可能に構成され、載置されたＤＶＤ（第２記録媒体に相当する）に、ＭＰＵ１からの指示に従って映像情報、音声情報等の種々の情報を記録する（＝書き込む）ものである。
【００４５】
次に、ＤＶＤレコーダ１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００４６】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００４７】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００４８】
図２は、本発明に係るＤＶＤレコーダ１における主要部の構成の一例を示すブロック図である。ＭＰＵ１１は、機能的に、条件設定部１１１、検索実行部１１２、結果表示部１１３、映像選択部１１４、及び、記録実行部１１５を備え、ＲＡＭ１２は、機能的に、選択結果記憶部１２１を備え、ＨＤＤ１９１は、機能的に、映像情報記憶部１９１ａを備えている。
【００４９】
ここでは、ＭＰＵ１１が、図１に示すＲＯＭ１３等に予め格納された制御プログラムを読み出して実行することにより、条件設定部１１１、検索実行部１１２、結果表示部１１３、映像選択部１１４、記録実行部１１５等の機能部として機能すると共に、ＲＡＭ１２を、選択結果記憶部１２１等の機能部として機能させ、ＨＤＤ１９１を映像情報記憶部１９１ａ等の機能部として機能させるものである。
【００５０】
また、ＲＡＭ１２、図２に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ、半導体メモリ等である。
【００５１】
選択結果記憶部１２１（選択結果記憶手段に相当する）は、映像選択部１１４によって選択された映像情報を識別する識別情報（例えば、録画時に採番されて付与された一連番号情報等）を格納するものである。
【００５２】
映像情報記憶部１９１ａ（映像情報記憶手段に相当する）は、予め複数の映像情報と対応付けて録画日時情報、ジャンル情報及び録画された日の曜日情報である録画曜日情報をそれぞれ格納するものである。
【００５３】
条件設定部１１１（条件設定手段の一部に相当する）は、リモコン３を介してユーザからの操作入力を受け付けて、受け付けられた操作入力に基づいて、検索対象とする映像情報について予め設定された複数の検索条件の中から１の検索条件を設定するものである。具体的には、条件設定部１１１は、検索条件として、検索対象とする映像情報の録画日時である検索録画日時、検索対象とする映像情報のジャンルである検索ジャンル、又は、検索対象とする映像情報の録画曜日である検索録画曜日を設定するものである。
【００５４】
検索実行部１１２（検索実行手段の一部に相当する）は、リモコン３を介してユーザからの検索を実行する旨の操作入力を受け付けて、検索を実行する旨の操作入力が受け付けられた場合に、映像情報記憶部１９１ａに格納された映像情報の中から、条件設定部１１１によって設定された検索条件を満たす映像情報を抽出するものである。具体的には、検索実行部１１２は、映像情報記憶部１９１ａに格納された映像情報の中から、条件設定部１１１によって設定された検索録画日時、検索ジャンル又は検索録画曜日と同一の録画日時情報、ジャンル情報又は録画曜日情報を有する映像情報を抽出するものである。
【００５５】
結果表示部１１３（結果表示手段に相当する）は、検索実行部１１２によって抽出された映像情報を選択可能に表示する映像選択画面（図５参照）をディスプレイ２１に表示するものである。
【００５６】
映像選択部１１４（映像選択手段の一部に相当する）は、リモコン３を介してユーザからの操作入力を受け付けて、受け付けられた操作入力に基づいて、映像選択画面を介して、検索実行部１１２によって抽出された映像情報の中から、図１に示すＤＶＤ記録部１９２に載置されたＤＶＤへ記録する対象とする映像情報を選択するものである。また、映像選択部１１４は、映像情報が選択される度に、選択結果記憶部１２１に、選択された映像情報を識別する識別情報を格納するものである。
【００５７】
記録実行部１１５（記録実行手段の一部に相当する）は、選択結果記憶部１２１に格納された識別情報に対応する映像情報を映像情報記憶部１９１ａから読み出して、図１に示すＤＶＤ記録部１９２に載置されたＤＶＤに書き込むものである。
【００５８】
図３、図４は、本発明に係るＤＶＤレコーダ１の動作の一例を示すフローチャートである。まず、条件設定部１１１によって、リモコン３を介してユーザからダビングを行う旨の操作入力が受け付けられたか否かの判定が行われる（Ｓ１０１）。ダビングを行う旨の操作入力が受け付けられていないと判定された場合（Ｓ１０１でＮＯ）には、処理が待機状態とされる。ダビングを行う旨の操作入力が受け付けられたと判定された場合（Ｓ１０１でＹＥＳ）には、条件設定部１１１によって、検索条件として録画日時を用いるか否かの判定が行われる（Ｓ１０３）。録画日時を用いないと判定された場合（Ｓ１０３でＮＯ）には、処理が図４に示すステップＳ１１１に進められる。
【００５９】
録画日時を用いると判定された場合（Ｓ１０３でＹＥＳ）には、条件設定部１１１によって、検索録画日時が受け付けられる（Ｓ１０５）。そして、検索実行部１１２によって、映像情報記憶部１９１ａに格納された映像情報の中から、ステップＳ１０５において設定された検索録画日時と同一の録画日時情報を有する映像情報が抽出され、結果表示部１１３によって、抽出された映像情報を選択可能に表示する映像選択画面（図５参照）がディスプレイ２１に表示される（Ｓ１０７）。次いで、映像選択部１１４によって、ステップＳ１０７において抽出された映像情報の中から、ＤＶＤへ記録する対象とする映像情報の選択が受け付けられ、選択された映像情報を識別する識別情報が選択結果記憶部１２１に格納される（Ｓ１０９）。
【００６０】
ステップＳ１０３でＮＯの場合には、図４に示すように、条件設定部１１１によって、検索条件として録画曜日を用いるか否かの判定が行われる（Ｓ１１１）。録画曜日を用いないと判定された場合（Ｓ１１１でＮＯ）には、処理がステップＳ１１９に進められる。録画曜日を用いると判定された場合（Ｓ１１１でＹＥＳ）には、条件設定部１１１によって、検索録画曜日が受け付けられる（Ｓ１１３）。そして、検索実行部１１２によって、映像情報記憶部１９１ａに格納された映像情報の中から、ステップＳ１０５において設定された検索録画曜日と同一の録画曜日情報を有する映像情報が抽出され、結果表示部１１３によって、抽出された映像情報を選択可能に表示する映像選択画面（図５参照）がディスプレイ２１に表示される（Ｓ１１５）。次いで、映像選択部１１４によって、ステップＳ１１５において抽出された映像情報の中から、ＤＶＤへ記録する対象とする映像情報の選択が受け付けられ、選択された映像情報を識別する識別情報が選択結果記憶部１２１に格納され（Ｓ１１７）、処理が図３に示すステップＳ１２７に進められる。
【００６１】
ステップＳ１１１でＮＯの場合には、条件設定部１１１によって、検索条件としてジャンルを用いるか否かの判定が行われる（Ｓ１１９）。ジャンルを用いないと判定された場合（Ｓ１１９でＮＯ）には、処理が図３に示すステップＳ１０３に戻され、ステップＳ１０３以降の処理が繰り返し実行される。ジャンルを用いると判定された場合（Ｓ１１９でＹＥＳ）には、条件設定部１１１によって、検索ジャンルが受け付けられる（Ｓ１２１）。そして、検索実行部１１２によって、映像情報記憶部１９１ａに格納された映像情報の中から、ステップＳ１２１において設定された検索ジャンルと同一のジャンル情報を有する映像情報が抽出され、結果表示部１１３によって、抽出された映像情報を選択可能に表示する映像選択画面（図５参照）がディスプレイ２１に表示される（Ｓ１２３）。次いで、映像選択部１１４によって、ステップＳ１２３において抽出された映像情報の中から、ＤＶＤへ記録する対象とする映像情報の選択が受け付けられ、選択された映像情報を識別する識別情報が選択結果記憶部１２１に格納され（Ｓ１２５）、処理が図３に示すステップＳ１２７に進められる。
【００６２】
ステップＳ１０９の処理が終了した場合、図４に示すステップＳ１１７の処理が終了した場合、又は、図４に示すステップＳ１２５の処理が終了した場合には、図３に示すように、記録実行部１１５によって、リモコン３を介してユーザからの操作入力が受け付けられ、受け付けられた操作入力に基づいて、ＤＶＤへ記録する対象とする映像情報の選択が終了したか否かの判別が行われる（Ｓ１２７）。選択が終了していないと判定された場合（Ｓ１２７でＮＯ）には、処理がステップＳ１０３に戻され、ステップＳ１０３以降の処理が繰り返し実行される。選択が終了したと判定された場合（Ｓ１２７でＹＥＳ）には、記録実行部１１５によって、選択結果記憶部１２１に格納された識別情報に対応する映像情報が映像情報記憶部１９１ａから読み出されて、図１に示すＤＶＤ記録部１９２に載置されたＤＶＤに書き込まれ（Ｓ１２９）、処理が終了される。
【００６３】
図５は、図３に示すフローチャートのステップＳ１０７においてディスプレイ２１に表示される映像選択画面の一例を示す画面図である。映像選択画面４００には、画面上部に、月日表示部４０１、検索実行ボタン４０２が表示され、画面略中央部に、抽出結果表示部４０３が表示され、画面下部に、選択ボタン４０５、キャンセルボタン４０６が表示されている。
【００６４】
月日表示部４０１は、リモコン３を介してユーザから入力された検索録画月日を表示するものである。検索実行ボタン４０２は、月日表示部４０１に表示された検索録画月日と同一の録画月日情報を有する映像情報を抽出する場合に押下されるボタンである。抽出結果表示部４０３は、検索実行ボタン４０２が押下された場合に、抽出された映像情報を選択可能に表示するものであって、画像表示部４０３ａ、番組名表示部４０３ｂを備えている。画像表示部４０３ａは、映像情報を示す縮小画像（又は、縮小動画像）を表示するものであり、タイトル表示部４０３ｂは、映像情報に対応する番組名を表示するものである。また、選択状態とされている抽出結果表示部４０３には、選択状態マーク４０４が画像表示部４０３ａの枠を太枠として表示される。ここでは、左上隅の抽出結果表示部４０３に選択状態マーク４０４が表示され、この抽出結果表示部４０３が選択状態とされている。
【００６５】
選択ボタン４０５は、選択状態マーク４０４が表示された抽出結果表示部４０３に対応する映像情報を選択する場合に押下されるボタンである。キャンセルボタン４０６は、一旦選択された抽出結果表示部４０３に対応する映像情報の選択を解除する場合に押下されるボタンである。
【００６６】
このようにして、ＨＤＤ１９１の映像情報記憶部１９１ａに予め複数の映像情報が格納されており、リモコン３を介してユーザからの操作入力が受け付けられて、受け付けられた操作入力に基づいて、検索対象とする映像情報について予め設定された複数の検索条件の中から１の検索条件が設定される。そして、映像情報記憶部１９１ａに格納された映像情報の中から、設定された検索条件を満たす映像情報が抽出され、抽出された映像情報が選択可能に表示する映像選択画面４００（図５参照）がディスプレイ２１に表示される。更に、リモコン３を介してユーザからの操作入力が受け付けられて、受け付けられた操作入力に基づいて、映像選択画面４００を介して、抽出された映像情報の中から、ＤＶＤ記録部１９２に載置されたＤＶＤへ記録する対象とする映像情報が選択され、選択された映像情報が、ＤＶＤに書き込まれるため、簡素な構成で的確にダビングする対象の映像情報を選択することができる。
【００６７】
すなわち、検索対象とする映像情報について予め設定された複数の検索条件の中から１の検索条件が設定されるため、ユーザが検索対象の映像情報に応じて、検索条件を設定することができるので、的確にダビングする対象の映像情報を選択することができるのである。また、複数の検索条件を、例えば、録画日時での検索のように、確実に映像情報に対応付けて格納されている情報を用いた簡素な検索条件とすることにより、簡素な構成で的確にダビングする対象の映像情報を選択することができるのである。
【００６８】
また、映像情報が選択される度に、選択された映像情報を識別する識別情報が選択結果記憶部１２１に格納され、選択結果記憶部１２１に格納された識別情報に対応する映像情報が映像情報記憶部１９１ａから読み出されて、ＤＶＤに書き込まれるため、利便性良好にダビングする対象の映像情報を選択することができる。
【００６９】
すなわち、映像情報が選択される度に、選択された映像情報を識別する識別情報が選択結果記憶部１２１に格納され、選択結果記憶部１２１に格納された識別情報に対応する映像情報が映像情報記憶部１９１ａから読み出されて、ＤＶＤに書き込まれるため、ＤＶＤに複数の映像情報を書き込むことを所望する場合に、書き込みを所望する複数の映像情報をまとめて選択することができるので、利便性良好にダビングする対象の映像情報を選択することができるのである。
【００７０】
更に、映像情報記憶部１９１ａに、予め複数の映像情報と対応付けて録画日時情報がそれぞれ格納されており、検索条件として、検索対象とする映像情報の録画日時である検索録画日時が設定され、映像情報記憶部１９１ａに格納された映像情報の中から、設定された検索録画日時と同一の録画日時情報を有する映像情報が抽出されるため、簡素な構成で的確にダビングする対象の映像情報を選択することができる。
【００７１】
すなわち、録画日時は確実に映像情報に対応付けて格納されている情報であり、且つ、録画日時による検索処理は簡素な構成で実行可能であるため、簡素な構成で的確にダビングする対象の映像情報を選択することができるのである。
【００７２】
加えて、映像情報記憶部１９１ａに、予め複数の映像情報と対応付けてジャンル情報がそれぞれ格納されており、検索条件として、検索対象とする映像情報のジャンルである検索ジャンルが設定され、映像情報記憶部１９１ａに格納された映像情報の中から、設定された検索ジャンルと同一のジャンル情報を有する映像情報が抽出されるため、簡素な構成で的確にダビングする対象の映像情報を選択することができる。
【００７３】
すなわち、例えば、ユーザが番組名等を記憶していない場合であっても、ジャンル情報を用いて検索することができるため、簡素な構成で的確にダビングする対象の映像情報を選択することができるのである。
【００７４】
また、映像情報記憶部１９１ａに、予め複数の映像情報と対応付けて録画された日の曜日情報である録画曜日情報がそれぞれ格納されており、検索条件として、検索対象とする映像情報の録画曜日である検索録画曜日が設定され、映像情報記憶部１９１ａに格納された映像情報の中から、設定された検索録画曜日と同一の録画曜日情報を有する映像情報が抽出されるため、簡素な構成で的確にダビングする対象の映像情報を選択することができる。
【００７５】
すなわち、例えば、毎週同一曜日に放送される番組の映像情報を選択したい場合に、曜日を用いて検索することができるので、簡素な構成で的確にダビングする対象の映像情報を選択することができるのである。
【００７６】
なお、本発明は、以下の形態にも適用可能である。
（Ａ）本実施形態では、映像記録装置が、ＤＶＤレコーダ１である場合について説明したが、映像記録装置が、モニタと通信可能に接続され、予め複数の映像情報が格納された第１記録媒体と、映像情報を記録可能な第２記録媒体と、を有する装置であればよい。例えば、映像記録装置が、ＨＤＤを搭載したＶＣＲ（Ｖｉｄｅｏ  Ｃａｓｅｔｔｅ  Ｒｅｃｏｒｄｅｒ）である形態でもよい。
【００７７】
（Ｂ）本実施形態では、第１記録媒体がＨＤＤ１９１のＨＤであり、第２記録媒体がＤＶＤ記録部１９２に載置されたＤＶＤである場合について説明したが、第１記録媒体及び第２記録媒体の少なくとも一方が他の記録媒体である形態でもよい。例えば、第１記録媒体及び第２記録媒体が、共にＤＶＤである形態でもよいし、第１記録媒体がＨＤであって、第２記録媒体がＶＣ（Ｖｉｄｅｏ  Ｃａｓｅｔｔｅ）である形態でもよい。
【００７８】
（Ｃ）本実施形態では、ＭＰＵ１１が条件設定部１１１、検索実行部１１２、結果表示部１１３、映像選択部１１４、記録実行部１１５等の機能部を有する場合について説明したが、条件設定部１１１、検索実行部１１２、結果表示部１１３、映像選択部１１４、及び、記録実行部１１５の少なくとも１つが回路等のハードウェアによって構成されている形態でもよい。
【００７９】
（Ｄ）本実施形態では、条件設定部１１１が、検索録画日時、検索ジャンル又は検索録画曜日を設定する場合について説明したが、条件設定部１１１が、予め設定された複数の検索条件の中から１の検索条件を設定する形態であればよい。例えば、条件設定部１１１が、検索録画日時、検索ジャンル及び検索録画曜日の内、２つの検索条件（例えば、検索録画日時、検索ジャンル）の中から１の検索条件を設定する形態でもよい。また、例えば、条件設定部１１１が、検索録画日時、検索ジャンル及び検索録画曜日の少なくとも１つの検索条件を含む４つ以上の検索条件の中から１の検索条件を設定する形態でもよい。
【図面の簡単な説明】
【００８０】
【図１】は、本発明に係るＤＶＤレコーダの構成の一例を示すブロック図である。
【図２】は、本発明に係るＤＶＤレコーダにおける主要部の構成の一例を示すブロック図である。
【図３】は、本発明に係るＤＶＤレコーダの動作の一例を示すフローチャート（前半部）である。
【図４】は、本発明に係るＤＶＤレコーダの動作の一例を示すフローチャート（後半部）である。
【図５】は、図３に示すフローチャートのステップＳ１０７においてディスプレイに表示される映像選択画面の一例を示す画面図である。
【符号の説明】
【００８１】
１    デジタル放送受信機（映像記録装置）
１１    ＭＰＵ
１１１    条件設定部（条件設定手段の一部）
１１２    検索実行部（検索実行手段）
１１３    結果表示部（結果表示手段）
１１４    映像選択部（映像選択手段の一部）
１１５    記録実行部（記録実行手段の一部）
１２    ＲＡＭ
１２１    選択結果記憶部（選択結果記憶手段）
１９１    ＨＤＤ
１９１ａ    映像情報記憶部（映像情報記憶手段）
１９２    ＤＶＤ記録部（記録実行手段の一部）
２    出力装置
２１    ディスプレイ（モニタ）
３    リモコン（条件設定手段の一部、映像選択手段の一部、記録実行手段の一部）
【図１】
2008236001.tif 000003
【図２】
2008236001.tif 000004
【図３】
2008236001.tif 000005
【図４】
2008236001.tif 000006
【図５】
2008236001.tif 000007